(57)【要約】【課題】サービス提供端末に連結する方法及びその装置を提供する。【解決手段】サービス提供デバイスに連結されたデバイス以外に、他のデバイスが簡単にサービス提供デバイスに連結し、サービス提供デバイスを介して提供されるサービスを制御する方法及び装置に係り、該第１デバイスが、サービス提供デバイスを介して提供されるサービスを制御するためのデバイス制御方法は、サービス提供デバイスと関連した識別情報を有する第２デバイスとの帯域外通信を連結する段階と、第２デバイスから、帯域外通信を介して、サービス提供デバイスと関連した識別情報を受信する段階と、受信された識別情報に関連した少なくとも１つのアプリケーションを実行する段階と、受信された識別情報を利用して、サービス提供デバイスに帯域内通信を連結し、サービス提供デバイスを介して提供されるサービスを制御する段階と、を含む。【選択図】図１
2014127212.tif 000002
【特許請求の範囲】
【請求項１】
第１デバイスがサービス提供デバイスを介して提供されるサービスを制御するためのデバイス制御方法において、
前記サービス提供デバイスと関連した識別情報を有する第２デバイスとの帯域外通信を連結する段階と、
前記第２デバイスから、前記帯域外通信を介して、前記サービス提供デバイスと関連した識別情報を受信する段階と、
前記受信された識別情報に関連した少なくとも１つのアプリケーションを実行する段階と、
前記受信された識別情報を利用して、前記サービス提供デバイスに帯域内通信を連結し、前記サービス提供デバイスを介して提供されるサービスを制御する段階と、を含むデバイス制御方法。
【請求項２】
前記サービス提供デバイスに係わる前記識別情報は、
前記第２デバイスで実行中であるアプリケーションを介して制御されるサービスである前記第１デバイスが制御するサービスのリストを含むことを特徴とする請求項１に記載のデバイス制御方法。
【請求項３】
前記帯域外通信を介して、前記第２デバイスに、前記第１デバイスのＭＡＣアドレスを伝送する段階をさらに含み、
前記サービス提供デバイスとの前記帯域内通信を連結する段階は、
前記第１デバイスのＭＡＣアドレスを前記第２デバイスから受信した前記サービス提供デバイスからの連結要請を受信する段階と、
前記連結要請によって、前記サービス提供デバイスとの前記帯域内通信を連結する段階と、を含むことを特徴とする請求項１に記載のデバイス制御方法。
【請求項４】
前記サービス提供デバイスと関連した識別情報は、
前記サービス提供デバイスに係わる性能情報、暗号化キー、認証情報、及び前記サービス提供デバイスとの帯域内通信を連結するための連結情報のうち少なくとも一つを含むことを特徴とする請求項１に記載のデバイス制御方法。
【請求項５】
前記第２デバイスと連結された前記帯域外通信を利用して、認証プロセスを遂行する段階をさらに含むことを特徴とする請求項１に記載のデバイス制御方法。
【請求項６】
前記帯域外通信は、近距離無線通信であり、
前記サービス提供デバイスを介して提供されるサービスを制御する段階は、
前記第２デバイスとの前記帯域外通信が可能である場合、前記サービスを制御することを特徴とする請求項１に記載のデバイス制御方法。
【請求項７】
第２デバイスがサービス提供デバイスを介して提供されるサービスを、第１デバイスをして制御させるためのデバイス制御方法において、
前記サービス提供デバイスと関連した少なくとも１つのアプリケーションを実行する段階と、
前記第１デバイスとの帯域外通信を連結する段階と、
前記第１デバイスに、前記サービス提供デバイスと関連した識別情報を伝送する段階と、を含み、
記識別情報は、前記少なくとも１つのアプリケーションに係わる識別情報を含むデバイス制御方法。
【請求項８】
第２デバイスによって制御されるサービスを提供するサービス提供デバイスにおいて、
第１デバイスとの帯域内通信を連結する段階と、
前記第１デバイスから、前記第１デバイスに係わる識別情報を獲得する段階と、
前記獲得された識別情報によって、前記第１デバイスが制御することができるサービスを決定する段階と、
前記決定されたサービス、及び前記第１デバイスから受信された制御命令によって、前記サービス提供デバイスを介して提供されるサービスを制御する段階と、を含むデバイス制御方法。
【請求項９】
サービス提供デバイスと関連した識別情報を有する第２デバイスとの帯域外通信を連結し、前記第２デバイスから、前記サービス提供デバイスに関連した識別情報を受信する第１通信部と、
前記受信された識別情報を利用して、前記サービス提供デバイスとの帯域内通信を連結する第２通信部と、
前記受信された識別情報に関連した少なくとも１つのアプリケーションを実行し、前記サービス提供デバイスを介して提供されるサービスを制御する制御部と、を含む第１デバイス。
【請求項１０】
前記サービス提供デバイスに係わる前記識別情報は、
前記第１デバイスが制御することができるサービスのリストを含むことを特徴とする請求項９に記載の第１デバイス
【請求項１１】
前記サービス提供デバイスと関連した識別情報は、
前記サービス提供デバイスに係わる性能情報、暗号化キー、認証情報、及び前記サービス提供デバイスとの帯域内通信を連結するための連結情報のうち少なくとも一つを含むことを特徴とする請求項９に記載の第１デバイス。
【請求項１２】
前記第１通信部を介して、前記第２デバイスと認証プロセスを遂行する認証要請部をさらに含むことを特徴とする請求項９に記載の第１デバイス。
【請求項１３】
前記帯域外通信は、近距離無線通信であり、
前記制御部は、
前記第２デバイスとの前記帯域外通信が可能である場合、前記サービスを制御することを特徴とする請求項９に記載の第１デバイス。
【請求項１４】
サービス提供デバイスと関連した識別情報を帯域外通信を介して、第１デバイスに伝送する帯域外通信部と、
前記サービス提供デバイスと関連した少なくとも１つのアプリケーションを実行する制御部と、を含み、
前記識別情報は、前記少なくとも１つのアプリケーションと関連したものである第２デバイス。
【請求項１５】
前記サービス提供デバイスに係わる前記識別情報は、
前記第１デバイスが制御することができるサービスのリストを含むことを特徴とする請求項１４に記載の第２デバイス。
【発明の詳細な説明】
【技術分野】
【０００１】
本発明は、デバイスがサービス提供端末に連結するための方法及び装置に係り、さらに具体的には、サービス提供端末に連結された他のデバイスを利用して、デバイスがサービス提供端末に連結し、サービスを制御するための方法及び装置に関する。
【背景技術】
【０００２】
サービス提供端末を介してサービスを提供されるとき、サービス提供端末を介して、直接サービスを制御する方法だけではなく、サービス提供端末と連結された他のデバイスを介して、遠隔でサービスを制御する方法が提示されている。
【０００３】
しかし、サービスを制御するデバイス以外に、他のデバイスがサービス提供端末に連結してサービスを制御するために、別途に他のデバイスをサービス提供端末に連結して認証するための手続きを経なければならないという不都合があった。
【発明の概要】
【発明が解決しようとする課題】
【０００４】
本発明の一実施形態は、サービス提供デバイスに連結されたデバイス以外に、他のデバイスが簡単にサービス提供デバイスに連結し、サービス提供デバイスを介して提供されるサービスを制御する方法及び装置を提供するものである。
【課題を解決するための手段】
【０００５】
前述の技術的課題を達成するための技術的手段として、本発明の一実施形態によるデバイス制御方法は、第１デバイスがサービス提供デバイスを介して提供されるサービスを制御するためのデバイス制御方法において、サービス提供デバイスと関連した識別情報を有する第２デバイスと、帯域外（out-of-band）通信を連結する段階と、第２デバイスから、帯域外通信を介して、サービス提供デバイスと関連した識別情報を受信する段階と、受信された識別情報に関連した少なくとも１つのアプリケーションを実行する段階と、受信された識別情報を利用して、サービス提供デバイスに帯域内（in-band）通信を連結し、サービス提供デバイスを介して提供されるサービスを制御する段階と、を含んでもよい。
【０００６】
本発明の他の一実施形態によれば、サービス提供デバイスに係わる識別情報は、第１デバイスが制御することができるサービスのリストを含んでもよい。
【０００７】
本発明のさらに他の一実施形態によれば、第１デバイスが制御することができるサービスのリストは、第２デバイスで実行中であるアプリケーションを介して制御されるサービスを含んでもよい。
【０００８】
本発明のさらに他の一実施形態によれば、帯域外通信を介して、第２デバイスに第１デバイスのＭＡＣアドレス（ＭＡＣ（media access control） address）を伝送する段階をさらに含み、サービス提供デバイスとの帯域内通信を連結する段階は、第１デバイスのＭＡＣアドレスを、第２デバイスから受信したサービス提供デバイスから連結要請を受信する段階と、連結要請によって、サービス提供デバイスとの帯域内通信を連結する段階を含んでもよい。
【０００９】
本発明のさらに他の一実施形態によれば、サービス提供デバイスと関連した識別情報は、サービス提供デバイスに係わる性能情報（capability information）、暗号化キー、認証情報、及びサービス提供デバイスとの帯域内通信を連結するための連結情報のうち少なくとも一つを含んでもよい。
【００１０】
本発明の他の一実施形態によるデバイス制御方法は、第２デバイスと連結された帯域外通信を利用して、認証プロセスを遂行する段階をさらに含んでもよい。
【００１１】
本発明の他の一実施形態によれば、受信された識別情報を利用して、サービス提供デバイスとの帯域内通信を連結し、サービス提供デバイスを介して提供されるサービスを制御する段階は、帯域外通信を介して認証プロセスが遂行された結果を利用して、サービス提供デバイスに連結し、サービスを制御することを特徴とする。
【００１２】
本発明のさらに他の一実施形態によれば、受信された識別情報を利用して、サービス提供デバイスに連結し、サービス提供デバイスを介して提供されるサービスを制御する段階は、帯域内通信が連結されることにより、サービス提供デバイスから、第１デバイスが制御することができるサービスのリストを受信する段階、及び受信されたサービスのリストに含まれたサービスを制御する段階を含んでもよい。
【００１３】
本発明のさらに他の一実施形態によれば、サービス提供デバイスを介して提供されるサービスを制御する段階は、第１デバイスが第２デバイスと、所定距離内にあると判断される場合、サービスを制御することを特徴とする。
【００１４】
本発明のさらに他の一実施形態によれば、第１デバイスは、第２デバイスと帯域外通信が可能である場合、第２デバイスと所定距離内にあると判断することを特徴とする。
【００１５】
本発明のさらに他の一実施形態によれば、第２デバイスとの帯域外通信を連結する段階は、ＮＦＣ（near field communication）とＢＬＥ（Bluetooth low energy）とのうち１つの通信方式を利用して遂行されることを特徴とする。
【００１６】
本発明のさらに他の一実施形態によれば、サービス提供デバイスに係わる識別情報は、少なくとも１つのアプリケーションの識別情報、または少なくとも１つのアプリケーションに対する実行命令を含んでもよい。
【００１７】
本発明の一実施形態による、第２デバイスがサービス提供デバイスを介して提供されるサービスを、第１デバイスをして制御させるためのデバイス制御方法は、サービス提供デバイスと関連した少なくとも１つのアプリケーションを実行する段階と、第１デバイスとの帯域外通信を連結する段階と、第１デバイスでサービス提供デバイスと関連した識別情報を伝送する段階と、を含んでもよい。また、識別情報は、少なくとも１つのアプリケーションと関連したものでもある。
【００１８】
本発明の他の一実施形態によれば、サービス提供デバイスに係わる識別情報は、第１デバイスが制御することができるサービスのリストを含んでもよい。
【００１９】
本発明のさらに他の一実施形態によれば、サービスのリストは、第２デバイスで実行中であるアプリケーションを介して制御されるサービスを含んでもよい。
【００２０】
本発明のさらに他の一実施形態によれば、第２デバイスは、第２デバイスが制御可能なサービスのうち、第１デバイスに伝送されたサービスのリストに含まれたサービスを除外する。
【００２１】
本発明のさらに他の一実施形態によるデバイス制御方法は、第１デバイスからＭＡＣアドレスを受信する段階と、受信されたＭＡＣアドレス、及び第１デバイスへの連結を要請する情報を、前記サービス提供デバイスに伝送する段階と、をさらに含んでもよい。
【００２２】
本発明のさらに他の一実施形態によれば、サービス提供デバイスと関連した識別情報は、サービス提供デバイスに係わる性能情報、暗号化キー、認証情報、及びサービス提供デバイスとの帯域内通信を連結するための連結情報のうち少なくとも一つを含んでもよい。
【００２３】
本発明のさらに他の一実施形態によるデバイス制御方法は、帯域外通信を利用して、前記第１デバイスを認証する認証プロセスを遂行する段階をさらに含んでもよい。
【００２４】
本発明のさらに他の一実施形態によれば、帯域外通信は、ＮＦＣとＢＬＥとのうち１つの通信方式を利用しても遂行される。
【００２５】
本発明のさらに他の一実施形態によれば、サービス提供デバイスに係わる識別情報は、少なくとも１つのアプリケーションの識別情報、または少なくとも１つのアプリケーションに対する実行命令を含んでもよい。
【００２６】
本発明の一実施形態によるデバイス制御方法は、第２デバイスによって制御されるサービスを提供するサービス提供デバイスにおいて、第１デバイスとの帯域内通信を連結する段階と、第１デバイスから、第１デバイスに係わる識別情報を獲得する段階と、獲得された識別情報によって、第１デバイスが制御することができるサービスを決定する段階と、決定されたサービス、及び第１デバイスから受信された制御命令によって、サービス提供デバイスを介して提供されるサービスを制御する段階と、を含んでもよい。
【００２７】
本発明の他の一実施形態によれば、識別情報は、第１デバイスが、前記第２デバイスから認証された結果を含み、第１デバイスが制御することができるサービスを決定する段階は、第１デバイスが、前記第２デバイスから認証されたデバイスである場合、第１デバイスが制御することができるサービスのリストを決定することを特徴とする。
【００２８】
本発明の一実施形態によるデバイス制御方法は、第２デバイスによって制御されるサービスを提供するサービス提供デバイスにおいて、第２デバイスから、第１デバイスに係わる識別情報を獲得する段階と、識別情報を利用して、第１デバイスとの帯域内通信を連結する段階と、獲得された識別情報によって、第１デバイスが制御することができるサービスを決定する段階と、決定されたサービス、及び第１デバイスから受信された制御命令によって、サービス提供デバイスを介して提供されるサービスを制御する段階と、を含んでもよい。
【００２９】
本発明の他の一実施形態によれば、第１デバイスに係わる識別情報は、第１デバイスのＭＡＣアドレスを含んでもよい。
【００３０】
本発明の一実施形態による第１デバイスは、サービス提供デバイスと関連した識別情報を有する第２デバイスとの帯域外通信を連結し、第２デバイスからサービス提供デバイスに関連した識別情報を受信する第１通信部と、受信された識別情報を利用して、サービス提供デバイスとの帯域内通信を連結する第２通信部と、受信された識別情報に関連した少なくとも１つのアプリケーションを実行し、サービス提供デバイスを介して提供されるサービスを制御する制御部と、を含んでもよい。
【００３１】
本発明の他の一実施形態によれば、サービス提供デバイスに係わる識別情報は、第１デバイスが制御することができるサービスのリストを含んでもよい。
【００３２】
本発明のさらに他の一実施形態によれば、第１デバイスが制御することができるサービスのリストは、第２デバイスで実行中であるアプリケーションを介して制御されるサービスを含んでもよい。
【００３３】
本発明のさらに他の一実施形態によれば、第１通信部は、第２デバイスに第１デバイスのＭＡＣアドレスを伝送し、第２通信部は、第１デバイスのＭＡＣアドレスを、第２デバイスから受信したサービス提供デバイスから連結要請を受信し、受信された連結要請によって、サービス提供デバイスとの帯域内通信を連結することを特徴とする。
【００３４】
本発明のさらに他の一実施形態によれば、サービス提供デバイスと関連した識別情報は、サービス提供デバイスに係わる性能情報、暗号化キー、認証情報、及びサービス提供デバイスとの帯域内通信を連結するための連結情報のうち少なくとも一つを含んでもよい。
【００３５】
本発明のさらに他の一実施形態によれば、第１デバイスは、第１通信部を介して、第２デバイスと認証プロセスを遂行する認証要請部をさらに含んでもよい。
【００３６】
本発明のさらに他の一実施形態によれば、第２通信部は、認証要請部が遂行した認証プロセスの結果を利用して、サービス提供デバイスに連結することができる。
【００３７】
本発明のさらに他の一実施形態によれば、第２通信部は、サービス提供デバイスから、第１デバイスが制御することができるサービスのリストを受信し、制御部は、受信されたサービスのリストに含まれたサービスを制御することができる。
【００３８】
本発明のさらに他の一実施形態によれば、制御部は、第１デバイスが第２デバイスと、所定距離内にあると判断される場合、サービスを制御することができる。
【００３９】
本発明のさらに他の一実施形態によれば、制御部は、第１通信部が第２デバイスと帯域外通信が可能である場合、第２デバイスと所定距離内にあると判断する。
【００４０】
本発明のさらに他の一実施形態によれば、帯域外通信は、ＮＦＣとＢＬＥとのうち１つの通信方式であることを特徴とする。
【００４１】
本発明のさらに他の一実施形態によれば、サービス提供デバイスに係わる識別情報は、少なくとも１つのアプリケーションの識別情報、または少なくとも１つのアプリケーションに対する実行命令を含んでもよい。
【００４２】
本発明の一実施形態による第２デバイスは、サービス提供デバイスと関連した識別情報を帯域外通信を介して、第１デバイスに伝送する帯域外通信部と、サービス提供デバイスと関連した少なくとも１つのアプリケーションを実行する制御部と、を含んでもよい。また、識別情報は、少なくとも１つのアプリケーションと関連した情報でもある。
【００４３】
本発明の他の一実施形態によれば、サービス提供デバイスに係わる識別情報は、第１デバイスが制御することができるサービスのリストを含んでもよい。
【００４４】
本発明のさらに他の一実施形態によれば、サービスのリストは、第２デバイスで実行中であるアプリケーションを介して制御されるサービスを含んでもよい。
【００４５】
本発明のさらに他の一実施形態によれば、制御部は、第２デバイスが制御可能なサービスのうち、第１デバイスに伝送されたサービスのリストに含まれたサービスを除外する。
【００４６】
本発明のさらに他の一実施形態によれば、帯域外通信部は、第１デバイスからＭＡＣアドレスを受信し、受信されたＭＡＣアドレス、及び前記第１デバイスへの連結を要請する情報をサービス提供デバイスに伝送することができる。
【００４７】
本発明のさらに他の一実施形態によれば、サービス提供デバイスと関連した識別情報は、サービス提供デバイスに係わる性能情報、暗号化キー、認証情報、及びサービス提供デバイスとの帯域内通信を連結するための連結情報のうち少なくとも一つを含んでもよい。
【００４８】
本発明のさらに他の一実施形態によれば、第１デバイスを認証する認証プロセスを遂行する認証処理部をさらに含んでもよい。
【００４９】
本発明のさらに他の一実施形態によれば、帯域外通信は、ＮＦＣとＢＬＥとのうち１つの通信方式を介しても遂行される。
【００５０】
本発明のさらに他の一実施形態によれば、サービス提供デバイスに係わる識別情報は、少なくとも１つのアプリケーションの識別情報、または少なくとも１つのアプリケーションに対する実行命令を含んでもよい。
【図面の簡単な説明】
【００５１】
【図１】本発明の一実施形態によるデバイス間の連結構造を簡単に図示した図面である。
【図２】本発明の一実施形態によって、第１デバイスがサービス提供デバイスに連結してサービスを制御するプロセスを図示したフローチャートである。
【図３】本発明の一実施形態によって、第２デバイスが第１デバイスに、サービス提供デバイスに連結するための情報を提供するプロセスを図示したフローチャートである。
【図４】本発明の一実施形態によって、サービス提供デバイスが第１デバイスに連結し、サービスを制御するプロセスを図示したフローチャートである。
【図５】本発明の他の一実施形態によって、サービス提供デバイスが第１デバイスに連結し、サービスを制御するプロセスを図示したフローチャートである。
【図６】本発明の一実施形態による、第１デバイス、第２デバイス及びサービス提供デバイスの動作を図示した図面である。
【図７】本発明の他の一実施形態による、第１デバイス、第２デバイス及びサービス提供デバイスの動作を図示した図面である。
【図８】本発明の一実施形態によって、第１デバイスが車両に具備されたサービス提供デバイスに連結する例示を図示した図面である。
【図９】本発明の他の一実施形態によって、第１デバイスが車両に具備されたサービス提供デバイスに連結する例示を図示した図面である。
【図１０】本発明の一実施形態によって、車両に具備されたサービス提供デバイスがサービスを制御する権限を設定するプロセスを図示したフローチャートである。
【図１１】本発明の一実施形態によって、第１デバイスがゲートウェイに連結されたデバイスを制御するサービスを制御する例示を図示した図面である。
【図１２】本発明の他の一実施形態によって、第１デバイスがゲートウェイに連結されたデバイスを制御するために表示するユーザ・インターフェースを図示した図面である。
【図１３】本発明のさらに他の一実施形態によって、第１デバイスがサービス提供デバイスに連結されたデバイスを制御する例示を図示した図面である。
【図１４】本発明の一実施形態によって、第１デバイスがサービス提供デバイスとの連結を解除するプロセスを図示したフローチャートである。
【図１５】本発明の一実施形態によって、第２デバイスが、第１デバイスとのサービスデバイス間の連結を解除するためのプロセスを図示したフローチャートである。
【図１６】本発明の一実施形態によって、サービス提供デバイスが、第１デバイスとの連結を解除するプロセスを図示したフローチャートである。
【図１７】本発明の一実施形態による第１デバイスの構造を簡単に図示した構造図である。
【図１８】本発明の一実施形態による第２デバイスの構造を簡単に図示した構造図である。
【図１９】本発明の一実施形態によるサービス提供デバイスの構造を簡単に図示した構造図である。
【発明を実施するための形態】
【００５２】
以下、添付した図面を参照し、本発明が属する技術分野で当業者が容易に実施することができるように、本発明の実施形態について詳細に説明する。しかし、本発明は、さまざまに異なる形態で具現され、ここで説明する実施形態に限定されるものではない。図面で、本発明について明確に説明するために、説明と係わりのない部分は省略し、明細書全体を通じて、類似した部分については、類似した図面符号を付した。
【００５３】
第１、第２のような用語は、多様な構成要素について説明するのに使用されるが、構成要素は、用語によって限定されるものではない。用語は、１つの構成要素を他の構成要素から区別する目的としてのみ使用される。
【００５４】
明細書全体で、ある部分が他の部分と「連結」されているとするとき、それは、「直接的に連結」されている場合だけではなく、その中間に、他の素子を挟んで「電気的に連結」されている場合も含む。また、ある部分が他の部分と「連結」されているということは、ある部分が他の部分と、信号送受信を介して通信することができる状態になっている場合を含む。
【００５５】
また、ある部分がある構成要素を「含む」とするとき、それは、特別に反対となる記載がない限り、他の構成要素を除外するものではなく、他の構成要素をさらに含んでもよいということを意味する。
【００５６】
本発明で使用した用語は、ただ特定の実施形態について説明するために使用されたものであり、本発明を限定しようとする意図ではない。本発明で使用した用語は、本発明での機能を考慮しながら、可能な限り現在広く使用される一般的な用語を選択したが、それは、当分野の当業者の意図、判例、または新たな技術の出現などによっても異なる。また、特定の場合は、出願人が任意に選定した用語もあり、その場合、当該発明の説明部分で、詳細にその意味を記載する。従って、本発明で使用される用語は、単純な用語の名称ではない、その用語が有する意味と、本発明の全般にわたる内容とを基に定義されるものである。
【００５７】
単数の表現は、文脈上明白に異なって意味するものではない限り、複数の表現を含む。本出願で、「含む」または「有する」というような用語は、明細書上に記載された特徴、数字、段階、動作、構成要素、部品、またはそれらを組み合わせたものが存在するということを指定するものであり、一つまたはそれ以上の他の特徴や数字、段階、動作、構成要素、部品、またはそれらを組み合わせたものの存在または付加の可能性をあらかじめ排除するものではないということを理解しなければならない。
【００５８】
明細書全般で言及されるアプリケーションは、後述する機器間の連結を基に特定の業務を遂行するために考案された一連のコンピュータプログラムの集合をいう。例えば、アプリケーションは、ゲームアプリケーション、楽器演奏アプリケーション、動画再生アプリケーション、音楽再生アプリケーション、地図アプリケーション、放送アプリケーション、運動支援アプリケーション、医療用アプリケーション、決済アプリケーション、運送手段（例えば、自動車、バス、飛行機または船舶など）自動航法アプリケーション、周辺機器制御アプリケーション、及び前記各アプリケーションの組み合わせなど多様である。
【００５９】
明細書全般で言及されるアドホック（ad-hoc）モードの無線ＬＡＮ（local area network）、とインフラストラクチャ（infrastructure）モードの無線ＬＡＮは、機器間に、近距離通信時に、中継器（relay）を介するか否かによる通信方式を区分するための一例である。すなわち、アドホック・モードの無線ＬＡＮは、中継器を介さずに機器間で直接通信する方式の一例であり、Ｗｉ−Ｆｉダイレクト（ＷＦＤ：ＷｉＦｉ（wireless fidelity） direct）にもなる。インフラストラクチャ・モードの無線ＬＡＮは、中継器を介して機器間で通信する方式の一例であり、Ｗｉ−Ｆｉにもなる。従って、明細書全般で言及されるアドホック・モードの無線ＬＡＮは、中継器を介さずに、機器間直接通信する方式として理解されなければならず、インフラストラクチャ・モードの無線ＬＡＮは、中継器を介して機器間通信する方式と理解されなければならない。
【００６０】
以下、添付された図面を参照し、本発明について詳細に説明する。
【００６１】
図１は、本発明の一実施形態によるデバイス間の連結構造を簡単に図示した図面である。
【００６２】
本発明の一実施形態によるデバイス間の連結構造は、サービス提供デバイス１００、第１デバイス１１０及び第２デバイス１２０を含んでもよい。しかし、本発明によるデバイス間の連結構造は、図１に図示されたところに限定されるものではない。すなわち、デバイス間の連結構造は、図１に図示されたところより、さらに多くの構成要素を含んだり、あるいは図１に図示されたところより、少ない構成要素を含んでもよい。
【００６３】
例えば、デバイス間の連結構造は、中継器をさらに含んでもよい。すなわち、デバイス間の通信は、中継器を介して遂行されもする。
【００６４】
本発明の一実施形態によるデバイス間の連結構造が中継器を含まない場合、デバイス間の連結は、機器間直接通信方式を介して遂行される。機器間直接通信方式は、中継器を介さずに、機器間で直接データを送受信することを意味する。機器間直接通信方式の例としては、ブルートゥース（Bluetooth（登録商標））通信、ＵＷＶ（ultra wideband）通信、ジグビー（Zigbee（登録商標））通信、及びアドホック・モードの無線ＬＡＮ通信に含まれるＷｉ−Ｆｉダイレクト通信などがある。ただし、本発明で、機器間直接通信方式が前記例示に限定されるものではない。機器間直接通信方式は、Ｍ２Ｍ（machine-to-machine）通信方式、Ｄ２Ｄ（device-to-device）通信方式、またはＰ２Ｐ（peer-to-peer）通信方式ともすることができる。
【００６５】
本発明の一実施形態によれば、サービス提供デバイス１００、第１デバイス１１０及び第２デバイス１２０は、互いに有線または無線で連結される。
【００６６】
本発明の一実施形態によれば、サービス提供デバイス１００は、ユーザにサービスを提供する機器である。ここで、該サービスは、サービス提供デバイス１００で実行される１つのアプリケーションを介して遂行される動作を意味する。それだけではなく、該サービスは、複数のアプリケーションの組み合わせを介して遂行される一連の動作、サービス提供デバイス１００のバックグラウンド（background）で動作するプログラム、アプリケーションの一部機能を介して遂行される動作、またはサービス提供デバイス１００を介してログインされたクラウド（cloud）サーバを介して遂行される動作を意味する。ただし、本発明のサービスは、前記提示された例示に限定されるものではなく、該サービスは、サービス提供デバイス１００が決定された目的によって動作するものを意味する。
【００６７】
例えば、サービス提供デバイス１００が車両に具備されたヘッドユニット（head unit）である場合、ヘッドユニットのディスプレイ装置を介した動画再生や、ヘッドユニットを介した車内周辺機器制御などが該サービスに含まれる。ただし、本発明は、それらに限定されるものではない。
【００６８】
サービス提供デバイス１００は、車両に具備されたヘッドユニット、ホームゲートウェイ（home gateway）装置やＰＣ（personal computer）など多様な形態の電子機器でもって具現される。
【００６９】
また、第１デバイス１１０及び第２デバイス１２０は、第１デバイス１１０及び第２デバイス１２０相互間でデータ通信が可能であり、サービス提供デバイス１００とデータ通信が可能であるデバイスである。第１デバイス１１０と第２デバイス１２０は、同種の機器または異種の機器でもある。第１デバイス１１０及び第２デバイス１２０は、例えば、携帯電話機、スマートフォン（smart phone）、ノート型パソコン、タブレットＰＣ（personal computer）、ハンドヘルドＰＣ、電子ブック端末機、デジタル放送用端末機、ＰＤＡ（personal digital assistant）、ＰＭＰ（portable multimedia player）、ナビゲーション、スマートＴＶ（television）など多様な機器によって構成される。ただし、本発明での第１デバイス１１０及び第２デバイス１２０は、それらに限定されるものではない。
【００７０】
本発明の実施形態によれば、第１デバイス１１０は、第２デバイス１２０との帯域外通信（out-of-band communication）１３０を利用して、サービス提供デバイス１００に連結するデバイスでもある。また、第２デバイス１２０は、すでにサービス提供デバイス１００に連結し、認証手続きを完了したデバイスでもある。
【００７１】
例えば、サービス提供デバイス１００が車両に具備されたヘッドユニットである場合、第２デバイス１２０は、サービス提供デバイス１００に既連結の認証された運転者（driver）のスマートフォンでもある。そのとき、第１デバイス１１０は、サービス提供デバイス１００に連結する同乗者（passenger）のスマートフォンでもある。
【００７２】
第１デバイス１１０及び第２デバイス１２０は、帯域外通信１３０を遂行することができる。ここで、帯域外通信とは、帯域、チャネル、ポート及び連結のうち、少なくとも一つ以上がサービス提供デバイス１００と、データ送受信のために遂行される帯域内（in-band）通信の帯域、チャネル、ポート及び連結と同一ではない通信を意味する。
【００７３】
すなわち、第１デバイス１１０及び第２デバイス１２０がサービスを遂行するために利用されるデータ通信が帯域内通信でもある。帯域外通信は、帯域内通信を連結するために、第１デバイス１１０及び第２デバイス１２０間で遂行されるデータ通信でもある。一般的に、帯域外通信は、簡単に連結可能であり、少量のデータ送受信が可能である通信でもある。例えば、ＮＦＣ（near field communication）などが帯域外通信に利用される。ただし、本発明は、それに限定されるものではない。
【００７４】
本発明の実施形態によれば、帯域外通信は、第１デバイス１１０がサービス提供デバイス１００を確認し、サービス提供デバイス１００との帯域内通信を連結するために利用される。第１デバイス１１０がサービス提供デバイス１００を確認するということは、例えば、サービス提供デバイス１００が遂行する帯域内通信の通信方式が何であり、サービス提供デバイス１００が提供するサービスをいかなるアプリケーションによって制御することができるかなどということを含んでもよい。ただし、本発明は、それに限定されるものではない。第１デバイス１１０がサービス提供デバイス１００を確認するということは、帯域内通信１４０を連結するために、第１デバイス１１０と第２デバイス１２０との間に遂行される帯域外通信に含まれるとすることができる。
【００７５】
帯域外通信１３０は、第１デバイス１１０とサービス提供デバイス１００との間で、帯域内通信１４０が連結される前、第１デバイス１１０と第２デバイス１２０との間で遂行される通信とすることができる。帯域外通信１３０は、近距離無線通信方式を介して遂行される。例えば、帯域外通信１３０は、ＮＦＣ方式、ブルートゥース通信方式、ＢＬＥ通信方式、及び前記各通信方式の組み合わせのうちいずれか１つの通信方式に基づいて遂行される。ただし、本発明は、それらに限定されるものではない。
【００７６】
帯域外通信１３０が近距離無線通信方式を介して遂行される場合、第１デバイス１１０と第２デバイス１２０との距離が、近距離無線通信が可能である半径内であるならば、第１デバイス１１０は、第２デバイス１２０からデータを受信することができる。または、通信方式によって、第１デバイス１１０と第２デバイス１２０は、双方向でデータを伝送することができる。
【００７７】
例えば、第１デバイス１１０は、第２デバイス１２０に保存されたデータを、ＮＦＣ方式を介して読み取ることができる。そのような場合、第２デバイス１２０は、ＮＦＣタグに基づいて、ＮＦＣを遂行することができる。第１デバイス１１０と第２デバイス１２０との距離は、第１デバイス１１０と第２デバイス１２０との相対的位置に基づく。
【００７８】
ＢＬＥ通信方式は、情報を続けて送出する（broadcast）という特性を有する。従って、帯域外通信１３０がＢＬＥ通信方式を基盤とする場合、第２デバイス１２０は、帯域内通信連結１４０のための情報と、アプリケーションの識別情報を含むサービス提供デバイスに係わる識別情報とを続けて送出する。そのとき、第１デバイス１１０及び第２デバイス１２０は、ブルートゥース通信を遂行する。
【００７９】
第２デバイス１２０は、帯域外通信１３０を介して、サービス提供デバイス１００と関連した識別情報を、第１デバイス１１０に伝送することができる。本発明で、サービス提供デバイス１００と関連した識別情報は、第１デバイス１１０がサービス提供デバイス１００に連結し、サービスを制御するための情報でもある。サービス提供デバイス１００と関連した識別情報は、第１デバイス１１０が制御することができるサービスのリスト、サービス提供デバイス１００に係わる性能情報（capability information）、帯域内通信連結１４０のための情報、暗号化キー、サービス提供デバイス１００に係わるアプリケーションの識別情報、連結要請信号、連結受諾信号、連結通報信号及び認証情報などを含んでもよい。ただし、本発明は、それらに限定されるものではない。
【００８０】
第１デバイス１１０が制御することができるサービスのリストは、サービス提供デバイス１００が提供するサービスのうち、本発明の実施形態によって、第１デバイス１１０が制御することができるサービスのリストを意味する。
【００８１】
例えば、サービス提供デバイス１００が、動画再生サービス、コンデンツ検索サービス及び車両制御サービスを提供する場合、第１デバイス１１０が制御することができるサービスのリストに、動画再生サービス及びコンデンツ検索サービスのみを含むようにすることができる。そのとき、本発明の実施形態によれば、第１デバイス１１０は、帯域内通信１４０を介して、動画再生サービス及びコンデンツ検索サービスのみを制御することができる。
【００８２】
また、本発明の一実施形態によれば、第１デバイス１１０が制御することができるサービスのリストは、第２デバイス１２０で実行中であるアプリケーションを介して制御されるサービスを含んでもよい。サービスのリストに、第２デバイス１２０で実行中であるアプリケーションを介して制御されるサービスを含むことにより、第２デバイス１２０を介して制御中であるサービスを、第１デバイス１１０をして制御させることができる。
【００８３】
サービス提供デバイス１００に係わる性能情報は、サービス提供デバイス１００が有する性能に係わる情報を意味する。例えば、サービス提供デバイス１００に係わる性能情報は、サービス提供デバイス１００が遂行する通信方式に係わる情報、及びサービス提供デバイス１００のディスプレイ装置が有する解像度などを含んでもよい。ただし、本発明は、それらに限定されるものではない。
【００８４】
帯域内通信連結１４０のための情報は、第１デバイス１１０がサービス提供デバイス１００に、帯域内通信１４０を介して連結するための情報を意味する。例えば、サービス提供デバイス１００が遂行する通信方式に係わる情報が、ブルートゥース通信方式を示す場合、帯域内通信連結１４０のための情報は、サービス提供デバイス１００のＭＡＣ（media access control）アドレス、サービス提供デバイス１００のＩＰ（internet protocol）アドレスのようなサービス提供デバイス１００のネットワークアドレスを含んでもよい。また、本発明の実施形態によって、帯域内通信１４０連結のための情報は、ＳＳＩＤ（service set identifier）、Passpharse、ＰＩＮ（personal identification number）コード及びＦＩＬＳ（fast initial link setup）のうち少なくとも一つを含んでもよい。
【００８５】
暗号化キーは、サービス提供デバイス１００に、帯域内通信１４０を介して連結するために入力されなければならない情報を意味する。暗号化キーは、帯域内通信１４０連結のための情報に含まれる。
【００８６】
サービス提供デバイス１００に係わるアプリケーション情報は、少なくとも１つのアプリケーション識別情報、または少なくとも１つのアプリケーションに対する実行命令を含んでもよい。ただし、本発明は、それらに限定されるものではない。アプリケーション識別情報は、第１デバイス１１０が、第１デバイス１１０、またはアプリケーション・インストールファイルが保存されたサーバで、アプリケーションを検索することができる情報を含んでもよい。
【００８７】
連結要請信号は、帯域内通信１４０を連結することを要請する信号である。また、連結受諾信号は、帯域内通信１４０連結を受諾する信号である。連結通報信号は、通信連結を知らせる信号である。
【００８８】
認証情報は、第１デバイス１１０が、サービス提供デバイス１００を介して提供されるサービスに対する制御が許容されるデバイスであるということを示す情報でもある。
【００８９】
帯域内通信１４０は、第１デバイス１１０が、サービス提供デバイス１００に連結し、サービス提供デバイス１００を介して提供されるサービスを制御するために、第１デバイス１１０とサービス提供デバイス１００との間で遂行される通信である。帯域内通信１４０の例として、でブルートゥース通信、ＵＷＢ通信、ジグビー通信、アドホックモードの無線ＬＡＮに含まれるＷｉ−Ｆｉダイレクト通信、及びインフラストラクチャ・モードの無線ＬＡＮ（ＷｉＦｉ）通信などがある。ただし、本発明は、それらに限定されるものではない。
【００９０】
本発明の一実施形態によれば、第１デバイス１１０が、サービス提供デバイス１００に連結要請を伝送することにより、帯域内通信１４０を連結することができる。また、本発明の他の一実施形態によれば、サービス提供デバイス１００が、第１デバイス１１０に連結要請を伝送することにより、帯域内通信１４０を連結することができる。第１デバイス１１０がサービス提供デバイス１００に連結要請を伝送する実施形態は、図６にさらに詳細に示されている。サービス提供デバイス１００が第１デバイス１１０に連結要請を伝送する実施形態は、図７にさらに詳細に示されている。
【００９１】
図２は、本発明の一実施形態によって、第１デバイス１１０がサービス提供デバイス１００に連結し、サービスを制御するプロセスを図示したフローチャートである。
【００９２】
まず、第１デバイス１１０は、第２デバイス１２０との帯域外通信１３０を連結することができる（Ｓ２１０）。
【００９３】
ここで、第１デバイス１１０は、帯域外通信１３０を介して、第２デバイス１２０と認証プロセスを遂行する。認証プロセスは、第１デバイス１１０がサービス提供デバイス１００を介して提供されるサービスを制御するデバイスとして認証されるためのプロセスを意味する。認証プロセスは、相互認証（mutual authentication）方式、または単方向認証（one-way authentication）方式のうちいずれか１つの方式によって選択的に遂行される。また、本発明の一実施形態によれば、認証プロセスは、チャレンジ・レスポンス（challenge-response）方式の認証プロトコルによっても遂行される。
【００９４】
ここで、本発明の一実施形態によれば、帯域外通信は、ＮＦＣ方式、ＢＬＥ通信方式、ブルートゥース通信方式のうちいずれか１つの通信方式を介して遂行される。ただし、本発明は、それらに限定されるものではない。
【００９５】
その後、第１デバイス１１０は、帯域外通信１４０を介して、第２デバイス１２０からサービス提供デバイス１００と関連した識別情報を受信することができる（Ｓ２２０）。
【００９６】
本発明の一実施形態によれば、サービス提供デバイス１００と関連した識別情報は、第１デバイス１００が制御することができるサービスのリストを含んでもよい。そのとき、第１デバイス１００が制御することができるサービスのリストは、第２デバイス１２０で実行中であるアプリケーションを介して制御されるサービスを含んでもよい。
【００９７】
その後、第１デバイス１１０は、受信された識別情報に関連したアプリケーションを実行することができる（Ｓ２３０）。ここで、サービス提供デバイス１００と関連した識別情報は、アプリケーションを識別するためのアプリケーション識別情報、またはアプリケーションに対する実行命令を含んでもよい。受信された識別情報に関連したアプリケーションは、アプリケーション識別情報に対応するアプリケーションを意味する。
【００９８】
また、本発明の一実施形態によれば、サービス提供デバイスと関連した識別情報は、サービス提供デバイスに係わる性能情報、暗号化キー、認証情報、及びサービス提供デバイスに帯域内通信１４０を連結するための連結情報のうち少なくとも一つを含んでもよい。
【００９９】
その後、第１デバイス１１０は、受信された識別情報を利用して、サービス提供デバイス１００に帯域内通信１４０を連結することができる（Ｓ２４０）。
【０１００】
本発明の一実施形態によれば、第１デバイス１１０が、帯域外通信１４０を介して認証プロセスを遂行することにより、認証されたデバイスである場合、認証された結果を利用して、サービス提供デバイス１００に帯域内通信を１４０連結することができる。
【０１０１】
また、本発明の他の一実施形態によれば、第１デバイス１１０は、帯域内通信１４０を連結する過程で、サービス提供デバイス１００を介して、認証プロセスを遂行することにより、認証を受けることができる。
【０１０２】
本発明の一実施形態によれば、第１デバイス１１０は、第２デバイス１２０に、帯域外通信１３０を介して、第１デバイス１１０のＭＡＣアドレスを伝送することができる。その後、第２デバイス１２０は、サービス提供デバイス１００に、第１デバイス１１０のＭＡＣアドレス、及び第１デバイス１１０に連結することを要請する情報を、サービス提供デバイス１１０に伝送することができる。その後、第１デバイス１１０は、サービス提供デバイス１００から連結要請を受信し、連結要請によって、サービス提供デバイス１００と帯域内通信１４０とを連結することができる。
【０１０３】
その後、第１デバイス１１０は、帯域内通信１４０に基づいて、サービス提供デバイス１００を介して提供されるサービスを制御することができる（Ｓ２５０）。ここで、第１デバイス１１０は、サービス提供デバイス１００に、サービスに対する制御命令を伝送することができる。
【０１０４】
本発明の一実施形態によれば、第１デバイス１１０をして、帯域外通信１４０を介して、サービス提供デバイス１００に関連した識別情報に含まれたサービスのリストに含まれたサービス提供デバイス１００を介して提供されるサービスのみを制御させる。
【０１０５】
また、本発明の他の一実施形態によれば、第１デバイス１１０は、帯域内通信１４０が連結されることにより、サービス提供デバイス１００から、第１デバイス１１０が制御することができるサービスのリストを受信することができる。その後、受信されたサービスのリストに含まれたサービス提供デバイス１００を介して提供されるサービスのみを制御させる。
【０１０６】
第１デバイス１１０は、第１デバイス１１０が、第２デバイス１２０と所定距離内にあると判断される場合に限り、サービス提供デバイス１００を介して提供されるサービスを制御することができる。本発明の一実施形態によれば、第１デバイス１１０は、第２デバイス１２０と帯域外通信１３０が可能である場合、第２デバイス１２０と所定距離内にあると判断する。例えば、１０メートルないし１００メートルの半径以内で通信が可能であるブルートゥース通信方式を介して、帯域外通信１３０を遂行する場合、第１デバイス１１０は、ブルートゥース通信方式を介した、第２デバイス１２０との通信可能いかんにより、第２デバイス１２０が所定距離内にあるか否かを判断する。
【０１０７】
図３は、本発明の一実施形態によって、第２デバイス１２０が第１デバイス１１０に、サービス提供デバイス１００に連結するための情報を提供するプロセスを図示したフローチャートである。
【０１０８】
まず、第２デバイス１２０は、サービス提供デバイス１００と関連したアプリケーションを実行する（Ｓ３１０）。
【０１０９】
ここで、第２デバイス１２０は、サービス提供デバイス１００に連結することにより、サービス提供デバイス１００に連結するための情報及び認証情報などを含むサービス提供デバイス１００に関連した情報を保存している。
【０１１０】
サービス提供デバイス１００と関連したアプリケーションは、サービス提供デバイス１００を介して提供されるサービスを制御するためのアプリケーションでもある。
【０１１１】
その後、第２デバイス１２０は、第１デバイス１１０と帯域外通信が連結されることにより（Ｓ３２０）、第１デバイス１１０に、サービス提供デバイスと関連した識別情報を伝送する（Ｓ３３０）。
【０１１２】
ここで、サービス提供デバイス１００と関連した識別情報は、第１デバイス１１０が制御することができるサービスのリスト、サービス提供デバイス１００に係わる性能情報、暗号化キー、認証情報、及びサービス提供デバイスとの帯域内通信を連結するための連結情報のうち少なくとも一つを含んでもよい。
【０１１３】
第１デバイス１１０が制御することができるサービスのリストは、サービス提供デバイス１００で実行中である少なくとも１つのアプリケーションと関連したものでもある。例えば、第１デバイス１１０が制御することができるサービスのリストは、少なくとも１つのアプリケーションを介して制御されるサービス、または少なくとも１つのアプリケーションを介して選択されたサービスを含んでもよい。
【０１１４】
また、本発明の一実施形態によれば、サービス提供デバイス１００と関連した識別情報は、少なくとも１つのアプリケーションの識別情報、または少なくとも１つのアプリケーションに対する実行命令を含んでもよい。
【０１１５】
また、本発明の一実施形態によれば、第２デバイス１２０は、第１デバイス１１０に伝送された第１デバイス１１０が制御することができるサービスのリストに含まれたサービスは、第２デバイス１２０を介して制御させないようにすることができる。すなわち、第２デバイス１２０が制御可能なサービスのうち、第１デバイス１１０に伝送されたサービスのリストに含まれたサービスを除外する。
【０１１６】
本発明の一実施形態によれば、第２デバイス１２０は、第１デバイス１１０からＭＡＣアドレスを受信する。第２デバイス１２０は、受信されたＭＡＣアドレスと、第１デバイス１１０に連結することを要請する情報とをサービス提供デバイス１００に伝送する。
【０１１７】
また、本発明の一実施形態によれば、第２デバイス１２０は、帯域外通信１３０を利用して、第１デバイス１１０を認証する認証プロセスを遂行する。例えば、帯域外通信１３０を介して、サービス提供デバイス１００に対する認証情報を含むサービス提供デバイス１００に係わる識別情報を第１デバイス１１０に伝送する。
【０１１８】
また、前記帯域外通信１３０は、ＮＦＣ方式、ＢＬＥ通信方式及びブルートゥース通信方式のうち一通信方式を利用して遂行される。
【０１１９】
図４は、本発明の一実施形態によって、サービス提供デバイス１００が第１デバイス１１０に連結し、サービスを制御するプロセスを図示したフローチャートである。
【０１２０】
まず、サービス提供デバイス１００は、第１デバイス１１０との帯域内通信１４０を連結する（Ｓ４１０）。
【０１２１】
その後、サービス提供デバイス１００は、第１デバイス１１０から第１デバイス１１０に係わる識別情報を獲得する（Ｓ４２０）。
【０１２２】
ここで、第１デバイス１１０に係わる識別情報は、第１デバイス１１０が第２デバイス１２０から認証プロセスを遂行することによって認証された結果を含んでもよい。
【０１２３】
その後、サービス提供デバイス１００は、第１デバイス１１０が制御することができるサービスを決定する（Ｓ４３０）。
【０１２４】
ここで、第１デバイス１１０が、第２デバイス１２０から認証されたデバイスである場合、第１デバイス１１０が制御することができるサービスを決定する。例えば、サービス提供デバイス１００が、車両に具備されたヘッドユニット、第２デバイス１２０が、運転者のスマートフォンであり、第１デバイス１１０が、同乗者のデバイスでもある。ここで、運転者のスマートフォンを介して認証された同乗者のデバイスが、ヘッドユニットに連結されたということが確認される場合、ヘッドユニットは、同乗者のデバイスがコンテンツ再生サービス及びコンテンツ検索サービスを制御することができると決定することができる。
【０１２５】
本発明の一実施形態によれば、サービス提供デバイス１００は、決定されたサービスのリストを第１デバイス１１０に伝送する。
【０１２６】
その後、サービス提供デバイス１００は、決定されたサービス、及び第１デバイスから受信された制御命令によって、サービスを制御することができる（Ｓ４４０）。
【０１２７】
図５は、本発明の他の一実施形態によって、サービス提供デバイス１００が第１デバイス１１０に連結し、サービスを制御するプロセスを図示したフローチャートである。
【０１２８】
まず、サービス提供デバイス１００は、第２デバイス１２０から、第１デバイス１１０に係わる識別情報を獲得する（Ｓ５１０）。ここで、サービス提供デバイス１００は、第２デバイス１２０と既存に連結された記録に基づいて、第２デバイス１２０と通信連結することができる。また、サービス提供デバイス１００は、第１デバイス１１０に係わる識別情報と共に、第１デバイス１１０に連結することを要請する情報を受信する。
【０１２９】
本発明の一実施形態によれば、第１デバイスに係わる識別情報は、第１デバイスのＭＡＣアドレスを含んでもよい。ただし、本発明は、それに限定されるものではない。
【０１３０】
その後、サービス提供デバイス１００は、受信された第１デバイス１１０に係わる識別情報を利用して、第１デバイス１１０に通信連結を要請する。通信連結要請によって、サービス提供デバイス１００は、第１デバイス１１０と帯域内通信１４０を連結することができる（Ｓ５２０）。
【０１３１】
その後、サービス提供デバイス１００は、第１デバイス１１０が制御することができるサービスを決定することができる（Ｓ５３０）。
【０１３２】
本発明の一実施形態によれば、サービス提供デバイス１００は、決定されたサービスのリストを第１デバイス１１０に伝送する。
【０１３３】
その後、決定されたサービス及び第１デバイス１１０から受信された制御命令によって、サービスを制御することができる（Ｓ５４０）。
【０１３４】
図６は、本発明の一実施形態による第１デバイス１１０、第２デバイス１２０及びサービス提供デバイス１１０の動作を図示した図面である。
【０１３５】
まず、第２デバイス１２０は、サービス提供デバイス１００に連結し、認証を完了する（Ｓ６１０）。すなわち、第２デバイス１２０は、以前にサービス提供デバイス１００に連結するとき、サービス提供デバイスに関連した識別情報を保存することができる。
【０１３６】
その後、第１デバイス１１０は、第２デバイス１２０との帯域外通信を連結する（Ｓ６２０）。帯域外通信が連結されることにより、第１デバイス１１０は、第２デバイス１２０からサービス提供デバイスに関連した識別情報を受信する（Ｓ６３０）。
【０１３７】
その後、第１デバイス１１０は、サービス提供デバイス１００との帯域内通信を連結する（Ｓ６４０）。そのとき、第１デバイス１１０は、サービス提供デバイスに関連した識別情報に基づいて、サービス提供デバイス１００を検索し、サービス提供デバイス１００に連結要請を伝送する。
【０１３８】
また、第１デバイス１１０は、サービス提供デバイスに関連した識別情報によるアプリケーションを実行する（Ｓ６５０）。Ｓ６５０段階は、Ｓ６４０段階以前に遂行されもし、必ずしもＳ６４０段階後に実行されなければならないものではない。
【０１３９】
ここで、第１デバイス１１０は、サービス提供デバイス１００に関連した識別情報によるアプリケーションが、第１デバイス１１０にインストールされているか否かを確認する。サービス提供デバイスに関連した識別情報によるアプリケーションが、第１デバイス１１０にインストールされていない場合、当該アプリケーションをインストールした後、実行することができる。サービス提供デバイス１００に関連した識別情報に、アプリケーションをインストールするためのファイルが保存された位置を示す情報が含まれている場合、第１デバイス１１０は、サーバから、アプリケーションをインストールするためのファイルをダウンロードする。例えば、サービス提供デバイス１００に関連した識別情報に、ＵＲＬ（uniform resource locator）情報が含まれている場合、第１デバイス１１０は、ＵＲＬ情報を利用して、アプリケーションをインストールするためのファイルをダウンロードする。
【０１４０】
その後、第１デバイス１１０は、サービス提供デバイス１００に対して、認証を受けることができる（Ｓ６６０）。本発明の一実施形態でＳ６６０段階は、Ｓ６４０段階で帯域内通信を連結する過程で、認証プロセスを遂行させるものである。また、本発明の他の一実施形態で、第１デバイス１１０は、第２デバイス１２０との帯域外通信に基づいて、認証を受けることができる。
【０１４１】
その後、サービス提供デバイス１００は、第１デバイス１１０が制御することができるサービスを決定する（Ｓ６７０）。サービス提供デバイス１００は、第１デバイス１１０と第２デバイス１２０との間に連結された帯域外通信を利用して、第１デバイス１１０がサービス提供デバイス１００に連結されたデバイスである場合、第１デバイス１１０が第２デバイス１２０とは差等的に、サービスを制御することができる権限を有するようにする。
【０１４２】
すなわち、第２デバイス１２０が、サービス提供デバイス１００を介して提供される全てのサービスを制御することができる場合、第１デバイス１１０をして、サービス提供デバイス１００を介して提供されるサービスのうち一部のみを制御させる。
【０１４３】
その後、サービス提供デバイス１００は、決定されたサービスのリストを第１デバイス１１０に伝送する（Ｓ６８０）。
【０１４４】
ただし、Ｓ６３０段階以前に、第２デバイス１２０が第１デバイス１１０が制御することができるサービスのリストを決定する。その場合、第２デバイス１２０は、Ｓ６３０段階に伝送されるサービス提供デバイスに関連した識別情報は、決定されたサービスのリストを含んでもよい。そのとき、Ｓ６７０段階、及びＳ６８０段階は、省略される。
【０１４５】
その後、第１デバイス１１０は、サービス提供デバイス１００を介して提供されるサービスを制御するための制御命令を、サービス提供デバイス１００に伝送する（Ｓ６９０）。
【０１４６】
図７は、本発明の他の一実施形態による第１デバイス１１０、第２デバイス１２０及びサービス提供デバイス１００の動作を図示した図面である。
【０１４７】
まず、第２デバイス１２０は、サービス提供デバイス１００に連結し、認証を完了する（Ｓ７１０）。すなわち、第２デバイス１２０は、以前にサービス提供デバイス１００に連結するとき、サービス提供デバイスに関連した識別情報を保存することができる。
【０１４８】
その後、第１デバイス１１０は、第２デバイス１２０との帯域外通信を連結する（Ｓ７２０）。本発明の実施形態によれば、帯域外通信は、ＮＦＣ方式、ＢＬＥ通信方式及びブルートゥース通信方式のうちいずれか一つによって遂行される。ただし、本発明は、それに限定されるものではない。
【０１４９】
その後、第１デバイス１１０は、第２デバイス１２０に第１デバイスの識別情報を伝送する（Ｓ７３０）。そのとき、第１デバイスの識別情報は、第１デバイス１１０に連結するための連結情報を含んでもよい。例えば、第１デバイスのＭＡＣアドレスのようなネットワークＩＤ（identification）などが、第１デバイス１１０に連結するための連結情報に含まれる。
【０１５０】
その後、第２デバイス１２０は、サービス提供デバイス１００に、第１デバイス１１０の識別情報を伝送する（Ｓ７４０）。
【０１５１】
その後、サービス提供デバイス１００は、第１デバイス１１０が制御することができるサービスを決定する（Ｓ７５０）。サービス提供デバイス１００は、第１デバイス１１０と第２デバイス１２０との間に連結された帯域外通信を利用して、第１デバイス１１０がサービス提供デバイス１００に連結されたデバイスである場合、第１デバイス１１０が第２デバイス１２０とは差等的、にサービスを制御することができる権限を有するようにする。
【０１５２】
すなわち、第２デバイス１２０が、サービス提供デバイス１００を介して提供される全てのサービスを制御することができる場合、第１デバイス１１０をして、サービス提供デバイス１００を介して提供されるサービスのうち一部のみを制御させる。
【０１５３】
その後、サービス提供デバイス１００は、第１デバイス１１０の識別情報に基づいて、第１デバイス１１０に通信連結を要請することができる（Ｓ７６０）。そのとき、サービス提供デバイス１００は、サービス提供デバイス１００に関連した識別情報を、第１デバイス１１０に伝送する。サービス提供デバイス１００に関連した識別情報は、決定されたサービスのリストを含んでもよい。
【０１５４】
その後、第１デバイス１１０は、サービス提供デバイス１００に関連した識別情報に関連したアプリケーションを実行する（Ｓ７７０）。
【０１５５】
ここで、第１デバイス１１０は、サービス提供デバイス１００に関連した識別情報によるアプリケーションが、第１デバイス１１０にインストールされているか否かを確認する。サービス提供デバイス１００に関連した識別情報によるアプリケーションが、第１デバイス１１０にインストールされていない場合、当該アプリケーションをインストールした後に実行する。サービス提供デバイス１００に関連した識別情報に、アプリケーションをインストールするためのファイルが保存された位置を示す情報が含まれている場合、第１デバイス１１０は、サーバからアプリケーションをインストールするためのファイルをダウンロードする。例えば、サービス提供デバイス１００に関連した識別情報にＵＲＬ情報が含まれている場合、第１デバイス１１０は、ＵＲＬ情報を利用して、アプリケーションをインストールするためのファイルをダウンロードする。
【０１５６】
その後、第１デバイス１１０は、サービス提供デバイス１００との帯域内通信を連結し（Ｓ７８０）、サービス提供デバイス１００に制御命令を伝送する（Ｓ７９０）。
【０１５７】
図８は、本発明の一実施形態によって、第１デバイスが車両に具備されたサービス提供デバイスに連結する例示を図示した図面である。
【０１５８】
本発明の一実施形態によれば、サービス提供デバイス１００は、車両８００に具備されたものでもある。例えば、サービス提供デバイス１００が車両８００に具備されたヘッドユニットの形態で具現されてもよい。
【０１５９】
また、車両８００には、座席別に情報を読み取ったり、あるいは情報を伝送するＮＦＣタグが具備される。ＮＦＣタグは、他のデバイスから読み取った情報をサービス提供デバイス１００に伝送する。
【０１６０】
車両８００に具備されたＮＦＣタグと第２デバイス１２０との間でＮＦＣを遂行することにより、サービス提供デバイス１００は、運転者の搭乗を感知することができる（Ｓ８１０）。ここで、第２デバイス１２０とのＮＦＣを遂行するＮＦＣタグは、車両８００の運転席に具備されたものでもある。
【０１６１】
その後、第２デバイス１２０は、サービス提供デバイス１００に連結して認証を受ける（Ｓ８２０）。ここで、第２デバイス１２０は、サービス提供デバイス１００に関連した識別情報を保存することができる。
【０１６２】
その後、第２デバイス１２０と第１デバイス１１０との間でＮＦＣが連結されることにより、第１デバイス１１０は、第２デバイス１２０に保存されたサービス提供デバイス１００に関連した識別情報を読み取る（Ｓ８３０）。
【０１６３】
その後、第１デバイス１１０は、サービス提供デバイスに関連した識別情報に基づいて、サービス提供デバイス１００に連結し、サービス提供デバイス１００を介して提供されるサービスを制御することができる（Ｓ８４０）。ここで、第１デバイス１１０は、サービス提供デバイス１００に関連した識別情報に基づいて、サービスを制御するためのアプリケーションを実行する。また、サービスを制御するためのアプリケーションが第１デバイス１１０にインストールされていない場合、第１デバイス１１０は、前記アプリケーションをインストールするためのファイルをダウンロードし、前記アプリケーションをインストールする。
【０１６４】
図９は、本発明の他の一実施形態によって、第１デバイス１１０が車両に具備されたサービス提供デバイス１００に連結する例示を図示した図面である。
【０１６５】
本発明の一実施形態によれば、車両９００の各座席に、第２デバイス１２０が具備されている。ここで、第２デバイス１２０は、ＮＦＣタグの形態で具現されてもよい。また、本発明の他の一実施形態によれば、第２デバイス１２０は、サービス提供デバイス１００に情報を伝送する。
【０１６６】
まず、車両に具備された第２デバイス１２０と第１デバイス１１０の間でＮＦＣを遂行する（Ｓ９１０）。ここで、第１デバイス１１０は、第２デバイス１２０に保存されたサービス提供デバイス１００に関連した識別情報を読み取る。
【０１６７】
また、第１デバイス１１０は、サービスを制御するためのアプリケーションを実行する。また、サービスを制御するためのアプリケーションが、第１デバイス１１０にインストールされていない場合、第１デバイス１１０は、前記アプリケーションをインストールするためのファイルをダウンロードし、前記アプリケーションをインストールする。
【０１６８】
その後、第１デバイス１１０は、サービス提供デバイス１００に連結し、サービス提供デバイス１００を介して提供されるサービスに対する制御権限を獲得する（Ｓ９２０）。
【０１６９】
図１０は、本発明の一実施形態によって、車両に具備されたサービス提供デバイス１００がサービスを制御する権限を設定するプロセスを図示した図面である。
【０１７０】
本発明の実施形態によれば、図１０に図示されたプロセスは、サービス提供デバイス１００が車両に具備されたヘッドユニットである場合に適用される。
【０１７１】
まず、サービス提供デバイス１００は、第１デバイス１１０と無線連結する（Ｓ１０１０）。ここで、第１デバイス１１０とサービス提供デバイス１００との無線連結は、帯域内通信を意味する。本発明の実施形態によって、第１デバイス１１０がサービス提供デバイスに関連した識別情報を利用して、サービス提供デバイス１００に連結要請を伝送する。
【０１７２】
そ の後、サービス提供デバイス１００は、第１デバイス１００から認証情報を受信する（Ｓ１０２０）。ここで、認証情報は、第１デバイス１１０が第２デバイス１２０から受信したものでもある。
【０１７３】
その後、サービス提供デバイス１００は、第１デバイス１１０が、運転者のデバイスではない同乗者のデバイスであるか否かを判断する（Ｓ１０３０）。以下、サービス提供デバイス１００が同乗者のデバイスであると認識したデバイスを同乗者デバイスとする。例えば、第１デバイス１００から受信された認証情報が、運転者のデバイスである第２デバイス１２０から受信されたものである場合、第１デバイス１１０が、同乗者デバイスであると判断する。ここで、第２デバイス１２０は、図１０に図示されたプロセスが遂行される以前、サービス提供デバイス１００に連結及び認証が完了したデバイスでもある。
【０１７４】
Ｓ１０３０段階で、第１デバイス１１０が同乗者のデバイスであると認識された場合、サービス提供デバイス１００は、第１デバイス１１０を同乗者のデバイスであると認証し、第１デバイス１００に制御を許容するサービスを決定する（Ｓ１０４０）。
【０１７５】
その後、サービス提供デバイス１００は、決定されたサービスのリストを第１デバイス１１０に伝送する（Ｓ１０５０）。その後、サービス提供デバイス１００は、第１デバイス１１０から制御情報を受信し、受信された制御情報による動作を遂行する（Ｓ１０６０）。
【０１７６】
Ｓ１０３０段階で、第１デバイス１１０が、図１０に図示されたプロセスが遂行される以前、サービス提供デバイス１００への連結及び認証が完了した運転者のデバイスであると判断される場合、サービス提供デバイス１００は、サービス提供デバイスに連結された同乗者のデバイスが存在するか否かを判断する（Ｓ１０３５）。
【０１７７】
Ｓ１０３５段階で、サービス提供デバイス１００に連結された同乗者デバイスがないと判断され、車両が走行中であると判断される場合（Ｓ１０４５）、サービス提供デバイス１００を介して提供されるサービスを制御させない（Ｓ１０５５）。段階Ｓ１０５５のように、ヘッドユニットの操作を制限することにより、同乗者が乗った場合にのみ走行中の車両のヘッドユニットを操作させる。
【０１７８】
図１１は、本発明の一実施形態によって、第１デバイス１１０がゲートウェイに連結されたデバイスを制御するサービスを制御する例示を図示した図面である。
【０１７９】
まず、第２デバイス１２０は、ホームネットワークのゲートウェイ（Ｇ／Ｗ）１００−１に連結し、ホームネットワークに連結された機器を制御することができるデバイスとして認証を受ける（Ｓ１１０１）。第２デバイス１２０は、Ｓ１１０１段階を遂行することにより、ゲートウェイ１００−１に連結するための連結情報及び認証情報を保存することができる。
【０１８０】
ここで、ゲートウェイ１００−１は、サービス提供デバイスとして、ゲートウェイ１００−１に連結された機器を制御するためのサービスを提供することができる。図１１に示された例示によれば、ゲートウェイ１００−１は、ＴＶ １１１０、エアコン１１２０、照明１１３０及び冷蔵庫１１４０など、ゲートウェイ１００−１に連結されたデバイスを制御することができる。
【０１８１】
その後、第１デバイス１１０は、第２デバイス１２０に保存されたゲートウェイ１００−１に連結するための連結情報を、帯域外通信を介して獲得する（Ｓ１１０２）。本発明の一実施形態によれば、該帯域外通信は、ＮＦＣ方式によって遂行される。
【０１８２】
第１デバイス１１０は、Ｓ１１０２段階で獲得された連結情報を利用して、ゲートウェイ１００−１に連結し、ゲートウェイ１００−１に連結されたデバイス全部または一部を制御するための権限を獲得する（Ｓ１１０３）。ここで、本発明の実施形態によって、第１デバイス１１０が制御することができる機器の範囲は、Ｓ１１０２段階で、第２デバイス１２０から、第１デバイス１１０で制御することができる機器のリストが伝送されることにより、決定される。本発明の他の実施形態によれば、第１デバイス１１０が制御することができる機器の範囲は、ゲートウェイ１００−１が第１デバイス１１０の連結を認識する過程で決定される。
【０１８３】
第１デバイス１１０とゲートウェイ１００−１との間で連結された通信は、帯域内通信である。本発明の一実施形態によれば、該帯域内通信は、無線ＬＡＮ（ＷｉＦｉ）通信方式によって遂行される。
【０１８４】
その後、第１デバイス１１０は、ゲートウェイ１００−１に連結されたデバイスを制御するためのアプリケーションを実行する（Ｓ１１０４）。ここで、デバイスを制御するためのアプリケーションが、第１デバイス１１０にインストールされていない場合、第１デバイス１１０は、デバイスを制御するためのアプリケーションをインストールする。
【０１８５】
本発明の実施形態によって、獲得された権限により、デバイスを制御するためのアプリケーションが制御することができる権限が獲得されたデバイスごとに、別途にインストールされる。本発明の他の実施形態によれば、獲得された権限により、１つのアプリケーションで、各デバイスを制御することができる機能を活性化／非活性化することができる。
【０１８６】
その後、第１デバイス１１０は、インストールされたアプリケーションを利用して、ゲートウェイ１００−１に連結されたデバイスを制御することができる（Ｓ１１０５）。
【０１８７】
図１２は、本発明の他の一実施形態によって、第１デバイス１１０がゲートウェイに連結されたデバイスを制御するために表示するユーザ・インターフェースを図示した図面である。
【０１８８】
図１１に示されたプロセスによって、第１デバイス１１０がエアコン、照明及びＴＶに対する制御権限を獲得した場合、第１デバイス１１０は、図１２のようなユーザ・インターフェースを表示することができる。ただし、本発明、前述のところに限定されるものではない。
【０１８９】
図１３は、本発明の他の一実施形態によって、第１デバイスがサービス提供デバイスに連結されたデバイスを制御する例示を図示した図面である。
【０１９０】
まず、スマートフォン１１０−１が、中継設備１２０−１との帯域外通信を連結する（Ｓ１３１０）。ここで、帯域外通信は、無線ＬＡＮ（ＷｉＦｉ）通信方式、ＮＦＣ方式及びＢＬＥ通信方式など多様な方法によって遂行される。
【０１９１】
スマートフォン１１０−１は、任意のアプリケーションをインストールするし、少なくとも一つ以上の通信方式を利用して、他の機器とデータ通信を遂行する機器を意味する。
【０１９２】
中継設備１２０−１は、任意のデバイスが接続することができる中継設備を意味する。中継設備１２０−１は、単にアクセスポイントの役割のみを遂行する機器に具現されもし、プロセスを具備したコンピュータ装備に具現されもする。スピーカ１００−２及びプリンタ１００−３のような周辺機器が、中継設備１２０−１に連結されている。
【０１９３】
その後、中継設備１２０−１は、スマートフォン１１０−１に対して制御を許容する周辺機器を選択することができる（Ｓ１３２０）。
【０１９４】
本発明の一実施形態によれば、中継設備１２０−１は、中継設備１２０−１に連結された周辺機器のうち、一部または全部を選択するためのユーザ・インターフェースを出力することができる。中継設備１２０−１は、ユーザ・インターフェースに対する入力により、スマートフォン１１０−１に対して制御を許容する周辺機器を選択することができる。
【０１９５】
その後、中継設備１２０−１はスマートフォン１１０−１に、選択された機器の連結情報を伝送する（Ｓ１３３０）。スマートフォン１１０−１は、中継設備１２０−１から受信された連結情報に基づいて、周辺機器に連結し、周辺機器を制御することができる。
【０１９６】
図１３に示された実施形態によれば、スマートフォン１１０−１のユーザは、スマートフォン１１０−１が公共場所に設置された中継設備１２０−１に、簡単にＮＦＣ方式による帯域外通信を遂行させることにより、スマートフォン１１０−１をして、共用プリンタ１００−３を介して文書出力サービスを制御させる。
【０１９７】
図１４は、本発明の一実施形態によって、第１デバイス１１０がサービス提供デバイス１００との連結を解除するプロセスを図示したフローチャートである。
【０１９８】
まず、第１デバイス１１０は、第２デバイス１２０との帯域外通信が可能であるか否かを確認する（Ｓ１４１０）。
【０１９９】
その後、第１デバイス１１０は、第２デバイス１２０との帯域外通信が連結されない場合（Ｓ１４２０）、サービス提供デバイス１００に対する帯域内通信の連結を終了する（Ｓ１４３０）。
【０２００】
望ましくは、該帯域外通信が、ブルートゥース通信方式のように、数メートルから数十メートルの範囲内で通信が可能である近距離無線通信方式によって遂行される場合、図１４によって、帯域内通信の連結を終了するプロセスが本発明に適用されるのである。
【０２０１】
図１５は、本発明の一実施形態によって、第２デバイス１２０が、第１デバイス１１０とサービスデバイス１００との連結を解除するためのプロセスを図示したフローチャートである。
【０２０２】
まず、第２デバイス１２０は、第１デバイス１１０との帯域外通信が可能であるか否かを確認する（Ｓ１５１０）。
【０２０３】
その後、第２デバイス１２０は、第１デバイス１１０との帯域外通信が連結されない場合（Ｓ１５２０）、第１デバイス１１０及びサービス提供デバイス１００のうち少なくとも一つに、帯域内通信の終了を要請することができる（Ｓ１５３０）。
【０２０４】
望ましくは、帯域外通信がブルートゥース通信方式のように、数ｍから数十ｍの範囲内で通信が可能である近距離無線通信方式によって遂行される場合、図１５によって、帯域内通信の連結を終了するプロセスが本発明に適用されるものである。
【０２０５】
図１６は、本発明の一実施形態によって、サービス提供デバイス１００が第１デバイス１１０との連結を解除するプロセスを図示したフローチャートである。
【０２０６】
まず、サービス提供デバイス１００は、第１デバイス１１０と第２デバイス１２０とが帯域外通信が可能であるか否かを確認する（Ｓ１６１０）。ここで、本発明の実施形態によれば、サービス提供デバイス１００は、該帯域外通信が可能であるか否かに係わる問い合わせを、第１デバイス１１０または第２デバイス１２０に伝送することにより、第１デバイス１１０と第２デバイス１２０とが該帯域外通信が可能であるか否かを確認する。
【０２０７】
その後、サービス提供デバイス１００は、該帯域外通信の連結が可能ではないと判断された場合（Ｓ１６２０）、第１デバイス１１０に対する該帯域内通信の連結を終了することができる（Ｓ１６３０）。
【０２０８】
一実施形態よれば、該帯域外通信がブルートゥース通信方式のように、数メートルから数十メートルの範囲内で通信が可能である近距離無線通信方式によって遂行される場合、図１６によって、帯域内通信の連結を終了するプロセスが本発明に適用されるのである。
【０２０９】
図１７は、本発明の一実施形態による第１デバイス１１０の構造を簡単に図示した構造図である。
【０２１０】
本発明の一実施形態による第１デバイス１１０は、第２デバイス１２０との帯域外通信を連結し、第２デバイス１２０からサービス提供デバイスに関連した識別情報を受信する第１通信部１７１０と、受信された識別情報を利用して、サービス提供デバイス１００との帯域内通信を連結する第２通信部１７２０と、前記各部を制御し、受信された識別情報に関連した少なくとも１つのアプリケーションを実行し、サービス提供デバイスを介して提供されるサービスを制御する制御部１７００と、を含んでもよい。
【０２１１】
ここで、サービス提供デバイス１００に関連した識別情報は、第１デバイス１１０が制御することができるサービスのリストを含んでもよい。また、第１デバイス１１０が制御することができるサービスのリストは、第２デバイス１２０で実行中であるアプリケーションを介して制御されるサービスを含んでもよい。それにより、第２デバイス１２０で制御中のサービスを第１デバイス１１０をして制御させる。
【０２１２】
本発明の一実施形態によれば、第１通信部１７１０は、第２デバイス１２０に、第１デバイス１１０のネットワークＩＤを伝送する。ここで、ネットワークＩＤは、ＭＡＣアドレスのように、ネットワーク上でデバイスの位置を識別するための情報を意味する。
【０２１３】
ここで、第２デバイス１２０は、第１デバイス１１０のネットワーク及び帯域内通信への連結要請をサービス提供デバイス１００に伝送する。サービス提供デバイス１００は、第１デバイス１１０に帯域内通信連結要請を伝送する。サービス提供デバイス１００から帯域内通信連結要請を受信した第１デバイス１１０は、受信された連結要請によって、サービス提供デバイス１００との帯域内通信を連結する。
【０２１４】
また、サービス提供デバイスと関連した識別情報は、サービス提供デバイスに係わる性能情報、暗号化キー、認証情報、及びサービス提供デバイス１００との帯域内通信を連結するための連結情報のうち少なくとも一つを含んでもよい。
【０２１５】
また、図面には図示されていないが、第１デバイス１１０は、第１通信部１７１０を介して、第２デバイス１２０と認証プロセスを遂行する認証要請部をさらに含んでもよい。第２通信部１７２０は、認証要請部が遂行した認証プロセスの結果を利用して、サービス提供デバイス１００に連結する。
【０２１６】
また、第２通信部１７２０は、サービス提供デバイス１００から、第１デバイス１１０が制御することができるサービスのリストを受信し、制御部１７００は、受信されたサービスのリストに含まれたサービスを制御することができる。ここで、制御部１７００は、受信されたサービスのリストに含まれたサービスを制御するためのアプリケーションを実行する。第１デバイス１１０に、サービスを制御するためのアプリケーションがインストールされていない場合、サービス提供デバイス１００に関連した識別情報を利用して、サービスを制御するためのアプリケーションをインストールする。
【０２１７】
また、本発明の一実施形態によれば、制御部１７００は、第１デバイス１１０が、第２デバイス１２０と所定距離内にあると判断される場合に限り、サービスを制御することができる。ここで、第１通信部１７１０が、第２デバイス１２０と通信が可能である場合、制御部１７００は、第２デバイス１２０と所定距離内にあると判断する。
【０２１８】
ここで、第１通信部１７１０によって遂行される帯域外通信は、ＮＦＣ方式、ＢＬＥ通信方式及びブルートゥース通信方式のうちいずれか１つの通信方式によって遂行される。
【０２１９】
また、サービス提供デバイスに係わる識別情報は、少なくとも１つのアプリケーションの識別情報、または少なくとも１つのアプリケーションに対する実行命令を含んでもよい。
【０２２０】
図１８は、本発明の一実施形態による第２デバイス１２０の構造を簡単に図示した構造図である。
【０２２１】
本発明の一実施形態による第２デバイス１２０は、サービス提供デバイス１００と関連した識別情報を帯域外通信を介して、第１デバイス１１０に伝送する帯域外通信部１８１０、及びサービス提供デバイスと関連した少なくとも１つのアプリケーションを実行する制御部１８００を含んでもよい。
【０２２２】
ここで、サービス提供デバイス１００と関連した識別情報は、少なくとも１つのアプリケーションと関連したものでもある。例えば、アプリケーションを識別するための識別情報、またはアプリケーションインストールのためのＵＲＬなどが、サービス提供デバイス１００と関連した識別情報に含まれる。
【０２２３】
図１９は、本発明の一実施形態によるサービス提供デバイス１００の構造を簡単に図示した構造図である。
【０２２４】
本発明の一実施形態によるサービス提供デバイス１００は、第１デバイス１１０との帯域内通信を遂行する帯域内通信部１９１０、及びサービス提供デバイス１００に具備された各構成部を制御し、サービス提供デバイス１００を介して提供されるサービスを制御する制御部１９００を含んでもよい。
【０２２５】
本発明の一実施形態は、コンピュータによって実行されるプログラム・モジュールのようなコンピュータによって実行可能な命令語を含む記録媒体の形態でも具現される。コンピュータ可読媒体は、コンピュータによってアクセスされる任意の可用媒体でもあるし、揮発性及び不揮発性の媒体、分離型及び非分離型の媒体を皆含む。また、コンピュータ可読媒体は、コンピュータ記録媒体及び通信媒体をいずれも含んでもよい。コンピュータ記録媒体は、コンピュータ可読命令語、データ構造、プログラム・モジュールまたはその他データのような情報保存のための任意の方法または技術によって具現された揮発性及び不揮発性、分離型及び非分離型の媒体をいずれも含む。通信媒体は、典型的に、コンピュータ可読命令語、データ構造、プログラム・モジュール、搬送波のような変調されたデータ信号のその他データ、またはその他伝送メカニズムを含み、任意の情報伝達媒体を含む。
【０２２６】
前述の本発明の説明は、例示のためのものであり、本発明が属する技術分野の当業者であるならば、本発明の技術的思想や必須な特徴を変更せずとも、他の具体的な形態に容易に変形が可能であるということを理解することができるであろう。従って、以上で記述した実施形態は、全ての面で例示的なものであり、限定的ではないと理解しなければならない。例えば、単一型として説明されている各構成要素は、分散して実施されもし、同様に、分散されていると説明されている構成要素も、結合された形態でもって実施されもする。
【０２２７】
本発明の範囲は、前記詳細な説明よりは、特許請求の範囲によって示され、特許請求の範囲の意味及び範囲そしてその均等概念から導き出される全ての変更または変形された形態が、本発明の範囲に含まれるものであると解釈されなければならない。
【産業上の利用可能性】
【０２２８】
本発明のサービス提供端末に連結する方法及びその装置は、例えば、サービス提供関連の技術分野に効果的に適用可能である。
【符号の説明】
【０２２９】
１００    サービス提供デバイス
１１０    第１デバイス
１２０    第２デバイス
１３０    帯域外通信
１４０    帯域内通信
１７００，１８００，１９００    制御部
１７１０    第１通信部
１７２０    第２通信部
１８１０    帯域外通信部
１９１０    帯域内通信部
【図１】
2014127212.tif 000003
【図２】
2014127212.tif 000004
【図３】
2014127212.tif 000005
【図４】
2014127212.tif 000006
【図５】
2014127212.tif 000007
【図６】
2014127212.tif 000008
【図７】
2014127212.tif 000009
【図８】
2014127212.tif 000010
【図９】
2014127212.tif 000011
【図１０】
2014127212.tif 000012
【図１１】
2014127212.tif 000013
【図１２】
2014127212.tif 000014
【図１３】
2014127212.tif 000015
【図１４】
2014127212.tif 000016
【図１５】
2014127212.tif 000017
【図１６】
2014127212.tif 000018
【図１７】
2014127212.tif 000019
【図１８】
2014127212.tif 000020
【図１９】
2014127212.tif 000021